(57)【要約】【課題】十分な止水性を得られる縦目地伸縮装置を提供する。【解決手段】縦目地伸縮装置１は、橋桁２同士の間に形成された縦目地２１を覆うためのものである。縦目地伸縮装置１は、縦目地２１の両側の橋桁２に固定される保持金物１１と、保持金物１１に六角ボルト１４で螺着される締着板１２と、保持金物１１と締着板１２との間に挟み込まれて縦目地２１を覆うパッキン１３とを備えている。パッキン１３は、縦目地２１の長手方向に連続して延びている。締着板１２は、保持金物１１に当接する当接部１２２と、当接部１２２から延びてパッキン１３を保持金物１１との間に挟み込む挟持部１２３と、挟持部１２３に形成された六角ボルト１４の挿通孔とを備えている。【選択図】図１
2014205997.tif 000002
【特許請求の範囲】
【請求項１】
橋桁同士の間に形成された縦目地を覆う縦目地伸縮装置であって、
前記縦目地の両側の橋桁に固定される保持金物と、
前記保持金物にボルトで螺着される締着板と、
前記保持金物と前記締着板との間に挟み込まれて前記縦目地を覆うパッキンとを備え、
前記パッキンは、前記縦目地の長手方向に連続して延びていることを特徴とする縦目地伸縮装置。
【請求項２】
前記締着板は、前記保持金物に当接する当接部と、
前記当接部から延びて前記パッキンを前記保持金物との間に挟み込む挟持部と、
前記挟持部に形成された前記ボルトの挿通孔とを備えることを特徴とする請求項１に記載の縦目地伸縮装置。
【請求項３】
前記保持金物は、前記締着板に当接する当接部と、
前記当接部から延びて前記パッキンを前記締着板との間に挟み込む挟持部と、
前記挟持部に形成された前記ボルトの挿通孔とを備えることを特徴とする請求項１に記載の縦目地伸縮装置。
【請求項４】
前記締着板は、前記保持金物に当接する当接部と、
前記当接部から延びて前記パッキンを前記保持金物との間に挟み込む挟持部と、
前記ボルトの挿通孔とを備え、
前記当接部は、前記挟持部側にかけて肉薄に形成されていることを特徴とする請求項１に記載の縦目地伸縮装置。
【請求項５】
前記保持金物は、前記締着板に当接する当接部と、
前記当接部から延びて前記パッキンを前記締着板との間に挟み込む挟持部と、
前記ボルトの挿通孔とを備え、
前記当接部は、前記挟持部側にかけて肉薄に形成されていることを特徴とする請求項１に記載の縦目地伸縮装置。
【請求項６】
前記保持金物と前記締着板との間に挟み込まれる当接部材を備え、
前記ボルトで前記締着板が前記保持金物に螺着されると、前記締着板が前記当接部材を支点として前記保持金物側に傾き、前記パッキンが前記保持金物と前記締着板との間に挟み込まれることを特徴とする請求項１に記載の縦目地伸縮装置。
【発明の詳細な説明】
【技術分野】
【０００１】
本発明は、橋梁等の縦目地に設置される伸縮装置に関する。
【背景技術】
【０００２】
縦目地に設置される伸縮装置では、下記の特許文献１に示すように、一定の長さに形成された取付金具の長さに合わせてゴム製の伸縮パッキンが形成されていた。そして、縦目地の長さ方向に並べられた伸縮パッキン同士は、互いの凸部と凹部との嵌合によって接続されていた。
【先行技術文献】
【特許文献】
【０００３】
【特許文献１】特許第３４４２３６２号公報
【発明の概要】
【発明が解決しようとする課題】
【０００４】
上記従来の伸縮装置では、伸縮パッキン同士の凸部と凹部との嵌合部から水が漏れる虞があり、止水性に問題があった。
【０００５】
本発明の目的は斯かる課題に鑑みてなされたもので、十分な止水性を得られる縦目地伸縮装置を提供することである。
【課題を解決するための手段】
【０００６】
このような目的を達成するために、本発明の縦目地伸縮装置は、橋桁同士の間に形成された縦目地を覆う縦目地伸縮装置であって、前記縦目地の両側の橋桁に固定される保持金物と、前記保持金物にボルトで螺着される締着板と、前記保持金物と前記締着板との間に挟み込まれて前記縦目地を覆うパッキンとを備え、前記パッキンは、前記縦目地の長手方向に連続して延びていることを特徴とする。
また、本発明は、前記締着板は、前記保持金物に当接する当接部と、前記当接部から延びて前記パッキンを前記保持金物との間に挟み込む挟持部と、前記挟持部に形成された前記ボルトの挿通孔とを備えることを特徴とする。
また、本発明は、前記保持金物は、前記締着板に当接する当接部と、前記当接部から延びて前記パッキンを前記締着板との間に挟み込む挟持部と、前記挟持部に形成された前記ボルトの挿通孔とを備えることを特徴とする。
また、本発明は、前記締着板は、前記保持金物に当接する当接部と、前記当接部から延びて前記パッキンを前記保持金物との間に挟み込む挟持部と、前記ボルトの挿通孔とを備え、前記当接部は、前記挟持部側にかけて肉薄に形成されていることを特徴とする。
また、本発明は、前記保持金物は、前記締着板に当接する当接部と、前記当接部から延びて前記パッキンを前記締着板との間に挟み込む挟持部と、前記ボルトの挿通孔とを備え、前記当接部は、前記挟持部側にかけて肉薄に形成されていることを特徴とする。
また、本発明は、前記保持金物と前記締着板との間に挟み込まれる当接部材を備え、前記ボルトで前記締着板が前記保持金物に螺着されると、前記締着板が前記当接部材を支点として前記保持金物側に傾き、前記パッキンが前記保持金物と前記締着板との間に挟み込まれることを特徴とする。
【発明の効果】
【０００７】
本発明によれば、保持金物と締着板との間に挟み込まれたパッキンが、縦目地の長手方向に連続して延びているので、縦目地の長さ方向に伸縮パッキン同士の間に継目が発生するのを防止でき、止水性を高めることができる。
【図面の簡単な説明】
【０００８】
【図１】本発明の一実施形態の縦目地伸縮装置を示す正面図である。
【図２】図１の縦目地伸縮装置を示す図で、（ａ）は平面図，（ｂ）は側面図である。
【図３】図２の締着板を示す図である。
【図４】縦目地伸縮装置の施工手順を示す図である。
【図５】縦目地伸縮装置の変形例を示す第１の図である。
【図６】縦目地伸縮装置の変形例を示す第２の図である。
【図７】縦目地伸縮装置の変形例を示す第３の図である。
【発明を実施するための最良の形態】
【０００９】
以下、図面を参照して、本発明の一実施形態を説明する。
図１は、本実施形態の縦目地伸縮装置１が橋桁２に設置された状態を示す正面図である。図２は、縦目地伸縮装置１を示す図で、（ａ）は平面図，（ｂ）は側面図である。
【００１０】
図１，２に示す縦目地伸縮装置１は、橋桁２同士の間に形成された縦目地２１を覆うためのものであり、縦目地２１の両側の橋桁２に固定される保持金物１１と、各保持金物１１に六角ボルト１４で螺着される締着板１２と、縦目地２１を覆うパッキン１３とを備えている。
【００１１】
保持金物１１は、矩形の平板状に形成された定尺の金物であり、複数の貫通孔１１１と、隣り合う保持金物１１同士を連結する連結部１１２と、橋桁２に埋設されたアンカー３に溶着される翼鉄筋１５とを備えている。
【００１２】
貫通孔１１１は、保持金物１１の高さ方向の中央部よりもやや上側に開口しており、保持金物１１を厚さ方向に貫通している。貫通孔１１１は、保持金物１１に等間隔で９つ形成されており、保持金物１１の長さ方向に沿って一直線に配置されている。
【００１３】
連結部１１２は、保持金物１１の両端から側方に向けて舌片状に延びており、ネジ止め用の貫通孔を備えている。連結部１１２は、保持金物１１の高さ方向の中央部よりもやや上側から突出しており、略方形の平板状に形成されている。上述した貫通孔は、連結部１１２中央部を前後方向に貫通している。
【００１４】
翼鉄筋１５は、保持金物１１に間隔を置いて複数溶着されている。翼鉄筋１５は、外周に複数の凹凸が形成された丸棒体であり、保持金物１１の一側面から保持金物１１の側方に向けて垂直に延びている。翼鉄筋１５は、保持金物１１の一側面の両端部にそれぞれ１つずつ設けられ、この２つの翼鉄筋１５の間には８つの翼鉄筋１５が等間隔で配置されている。これら翼鉄筋１５は、保持金物１１の一側面に一直線に並んで配置されている。
【００１５】
保持金物１１は、橋桁２の側面に縦目地２１に沿って複数並べられ、長さ方向の一端及び他端を隣りに並べられた保持金物１１の一端又は他端に当接させている。このようにして縦目地２１に沿って並べられた保持金物１１は、隣り合う保持金物１１と連結部１１２同士を重ね合わせた状態で連結孔１１２の貫通孔にボルトが挿通され、挿通されたボルトにナットが螺着されることで隣の保持金物１１とネジ止め固定される。
【００１６】
図３は、締着板１２を示す図で、（ａ）は側面図，（ｂ）は正面図，（ｃ）は（ｂ）の枠Ａ内の拡大図である。
図３に示す締着板１２は、平板状に形成された定尺の板であり、複数のネジ孔１２１と、保持金物１１に当接する当接部１２２と、当接部１２２から延びた挟持部１２３と、挟持部１２３の上縁部から突出した突部１２４とを備えている。
【００１７】
締着板１２は、保持金物１１よりも幅が狭く、保持金物１１の１／３程度の長さを有した矩形の平板状に形成されており、保持金物１１とほぼ等しい肉厚を有している。締着板１２は、保持金物１１の他側面に互いの間に所定の間隔を空けて、例えば３枚並べて取り付けられる。
【００１８】
当接部１２２は、挟持部１２３の下縁部から断面略台形状に突出しており、挟持部１２３の下縁部に沿って一直線に延びている。挟持部１２３は、パッキン１３を保持金物１１との間に挟み込むためのものであり、矩形の平板状を呈している。
【００１９】
上述したネジ孔１２１は、挟持部１２３に等間隔で３つ形成されており、挟持部１２３の長さ方向に沿って一直線に配置されている。突部１２４は、半円形の断面形状を有しており、挟持部１２３の上縁部に沿って一直線に等間隔で６つ形成されている。締着板１２は、保持金物１１に三枚並べて配置される。
【００２０】
パッキン１３は、エチレン−プロピレン−ジエンゴム等の弾性材で形成されており、断面コの字の概略形状を有している。具体的には、パッキン１３は、定着板１２の挟持部１２３の幅とほぼ同じ高さを有した一対の脚部の上端間に波状部を架け渡した形状を有している。
【００２１】
脚部の両側面には、凹凸が形成されている。波状部は、脚部同士の間を覆って構成されており、内側に折り曲げられた２箇所の屈曲部を備えている。縦目地２１は、波状部によって全面を覆われる。パッキン１３は、保持金物１１と締着板１２との間に挟み込まれており、縦目地２１の長手方向に連続して延びている。
【００２２】
次に、縦目地伸縮装置１の施工手順を説明する。
まず、図４に示すように、保持金物１１を各橋桁２の縁部に配置し、橋桁２に埋設された打込みアンカー３と通し筋４とに翼鉄筋１５を溶接する。これにより、保持金物１１が橋桁２に固定される。保持金物１１には、パッキン１３が挿入できる程度緩められた状態で、締着板１２が予め六角ボルト１４で取り付けられている。なお、打込みアンカー３は、縦目地２１の両側に位置した橋桁２にそれぞれ打ち込まれている。
【００２３】
次に、保持金物１１本体と定着板との間に縦目地２１パッキン１３を挿入し、六角ボルト１４を締め付けて定着板を保持金物１１に固定する。これにより、挿通孔に挿通された六角ボルト１４で締着板１２が保持金物１１に締着され、締着板１２が挟持部１２３側に傾く。この結果、パッキン１３が挟持部１２３と締着板１２との間に挟み込まれる。
【００２４】
縦目地２１パッキン１３は、両端部が保持金物１１と定着板との間に挟み込まれた状態で、縦目地２１を覆うように配置される。このようにして縦目地伸縮装置１が設置された後、後打ちコンクリート５が打設され、図１に示すように縦目地伸縮装置１が橋桁２に設置される。
【００２５】
本実施形態によれば、保持金物１１と締着板１２との間に挟み込まれたパッキン１３が、縦目地２１の長手方向に連続して延びているので、縦目地２１の長さ方向に伸縮パッキン１３同士の間に継目が発生するのを防止でき、止水性を高めることができる。
【００２６】
上記実施形態では、挟持部１２３に六角ボルト１４の挿通孔が形成されている場合について説明したが、これに代えて、図５に示すように当接部１２２を挟持部１２３側にかけて肉薄に形成してもよい。六角ボルト１４の挿通孔は、当接部１２２にも挟持部１２３にも設けることが可能である。この構成によれば、六角ボルト１４で締着板１２が保持金物１１に締着されると、締着板１２が保持金物１１側に傾き、パッキン１３が保持金物１１と締着板１２との間に挟み込まれる。
【００２７】
また、図６に示すように締着板１２と保持金物１１との間に当接部材１６を配置し、六角ボルト１４で締着板１２が保持金物１１に締着されると、締着板１２が当接部材１６を支点として挟持部１２３側に傾き、パッキン１３が保持金物１１と締着板１２との間に挟み込まれるよう構成してもよい。
【００２８】
例えば、図６に示すように当接部材１６を通して六角ボルト１４を締着する場合には、当接部材１６を上側にかけて肉薄に形成する構成としたり、締着板１２を上側にかけて肉薄に形成する構成とすることができる。また、当接部材１６を通さずに六角ボルト１４を締着することでも、締着板１２が当接部材１６を支点として保持金物１１側に傾き、パッキン１３が保持金物１１と締着板１２との間に挟み込まれる。
【００２９】
また、図７に示すように、保持金物１１が、締着板１２に当接する当接部１１３と、当接部１１３から延びた挟持部１１４とを備える構成としてもよい。この縦目地伸縮装置１では、当接部１１３を挟持部１１４側にかけて肉薄に形成する構成とし、当接部１１３に六角ボルト１４の挿通孔を設けている。この構成によっても、当接部１１３の挿通孔に挿通された六角ボルト１４で締着板１２が保持金物１１に締着されると、締着板１２が保持金物１１側に傾き、パッキン１３が保持金物１１と締着板１２との間に挟み込まれる。
【００３０】
また、上記構成では挟持部１１４に六角ボルト１４の挿通孔を設ける構成としてもよい。この構成によれば、当接部１１３を挟持部１１４側にかけて肉薄に形成しなくても、六角ボルト１４で締着板１２が保持金物１１に締着されると、締着板１２が保持金物１１側に傾き、パッキン１３が保持金物１１と締着板１２との間に挟み込まれる。
【００３１】
上記実施形態では、新設される橋桁２に縦目地伸縮装置１を設置する場合について説明したが、縦目地伸縮装置１は既設の橋桁２に取り付けることもできる。既設の橋桁２に取り付ける場合は、橋桁２の縦目地伸縮装置１を取り付ける箇所を切り欠いた後、打込みアンカー３が取り付けられる。また、上記実施形態では、一方の保持金物１１に締着される
六角ボルト１４と他方の保持金物１１に締着される六角ボルト１４とが互いに対向して配置されている場合について説明したが、保持金物１１の長手方向に両六角ボルト１４の位置がずれていてもよい。また、パッキン１３が締着板１２とで均一に挟まれるように、挟持部１２３が先端側にかけて肉薄になるよう構成してもよい。
【符号の説明】
【００３２】
１      縦目地伸縮装置
１１    保持金物
１１１  貫通孔
１１２  連結部
１１３  当接部
１１４  挟持部
１２    締着板
１２１  ネジ孔
１２２  当接部
１２３  挟持部
１２４  突部
１３    パッキン
１４    六角ボルト
１５    翼鉄筋
１６    当接部材
２      橋桁
２１    縦目地
３      打込みアンカー
４      通し筋
５      後打ちコンクリート
【図１】
2014205997.tif 000003
【図２】
2014205997.tif 000004
【図３】
2014205997.tif 000005
【図４】
2014205997.tif 000006
【図５】
2014205997.tif 000007
【図６】
2014205997.tif 000008
【図７】
2014205997.tif 000009